(57)【特許請求の範囲】
【請求項１】
貫通孔を有するかご室の側壁と、
前記かご室の外側に配置される第１部材と、
前記かご室の内側に配置される第２部材と、
前記第１部材を、前記第２部材とは独立して前記側壁に固定する固定部材とを有し、
前記第２部材は、前記第１部材と、前記貫通孔を通して結合され、
前記かご室の内部に配置される鏡を、前記側壁と前記第２部材とによって挟持する、
かご室の鏡取付構造。
【請求項２】
前記第１部材は、前記側壁の外側に突き当てられる壁突き当て部と、前記壁突き当て部から突出する壁側固定部とを有し、
前記第２部材は、前記鏡に突き当てられる鏡突き当て部と、前記壁側固定部と結合される鏡側固定部とを有し、
前記壁側固定部は、前記貫通孔を通して前記側壁の内側に突出し、前記鏡側固定部と結合される、
請求項１に記載のかご室の鏡取付構造。
【請求項３】
前記壁側固定部と前記鏡側固定部の一方は雄ネジ部を有し、
前記壁側固定部と前記鏡側固定部の他方は前記雄ネジ部と螺合する雌ネジ部を有する、
請求項２に記載のかご室の鏡取付構造。
【請求項４】
前記壁側固定部は、前記鏡を支持する支持部を有し、
前記支持部は、前記鏡に形成された取付穴の内周の一部に接触する、
請求項３に記載のかご室の鏡取付構造。
【請求項５】
前記側壁の前記貫通孔は、同心に形成された一対の半円形状を有し、
前記壁側固定部は、１つの円筒状の凸部を軸方向に分割した形状を有する２つの凸部によって形成されており、
前記２つの凸部は、前記一対の半円形状の貫通孔に、それぞれ挿入される、
請求項２から４のいずれか一項に記載のかご室の鏡取付構造。
【請求項６】
取付穴が形成された鏡を、かご室の側壁に取付ける方法であって、
前記鏡が取付けられる前記側壁の、前記取付穴に対応する位置に、貫通孔を形成する工程と、
前記かご室の外側から前記貫通孔に第１部材の壁側固定部を挿入し、前記壁側固定部を前記かご室の内側に突出させる工程と、
前記第１部材を、固定部材によって前記側壁に固定する工程と、
前記かご室の内側において、前記壁側固定部に、前記鏡の前記取付穴を引っ掛ける工程と、
第２部材の鏡側固定部を、前記取付穴を介して前記壁側固定部に結合し、前記第２部材と前記側壁とによって前記鏡を挟持する工程とを有する、
かご室の鏡取付方法。
【発明の詳細な説明】
【技術分野】
【０００１】
本発明は、エレベータのかご室の側壁に、鏡を取付ける構造及び方法に関する。
【背景技術】
【０００２】
従来、エレベータのかご室の鏡は、鏡が固定された鏡板の裏面に埋め込みネジを有していた。そして、埋め込みネジをかご室の側壁の外側に貫通させ、かご室の外側からナットで固定することいより、鏡を取付けていた（例えば特許文献１参照）。
【先行技術文献】
【特許文献】
【０００３】
【特許文献１】実開昭５８−１７６８７１号公報
【発明の概要】
【発明が解決しようとする課題】
【０００４】
しかしながら、従来技術には、以下のような課題がある。
従来のかご室の鏡の取付け作業を行う作業員は、まず、鏡板をかご室内に持ち込み、埋め込みネジを、かご室の側壁の穴から外側に貫通させて、鏡板を側壁に仮設置する。そして、かご室の外側に移動し、埋め込みネジにナットを締結して、鏡板を側壁に固定していた。このため、作業効率がよくないという課題があった。【０００５】
この発明は、かかる課題を解決するためになされたもので、かご室内から、鏡の取付け、及び取外しが可能な、かご室の鏡取付構造及び鏡取付方法を得るものである。
【課題を解決するための手段】
【０００６】
本発明に係るかご室の鏡取付構造は、貫通孔を有するかご室の側壁と、貫通孔の外側に配置される第１部材と、貫通孔の内側に配置され、貫通孔を介して第１部材と結合される第２部材と、第１部材を、第２部材とは独立して側壁に固定する固定部材とを有し、かご室に配置される鏡を、側壁と第２部材とによって挟持する。
【発明の効果】
【０００７】
本発明は、かご室の側壁の外側に固定された第１部材と、かご室の内側から第１部材に結合される第２部材とによって、鏡を挟持して固定することにより、鏡を、かご室の内側から側壁に対して取付け、及び取外すことを可能にしている。これにより、鏡の取付け、及び取外し作業の効率が向上する。
【図面の簡単な説明】
【０００８】
【図１】本発明の実施の形態１におけるエレベータかご室の鏡取付構造を用いて鏡が取付けられた、かごの内部を示す模式図である。
【図２】図１のＡ部における鏡の取付状態を示す分解斜視図である。
【図３】実施の形態１の鏡取付構造における、側壁の貫通孔を示す図である。
【図４Ａ】実施の形態１の鏡取付構造における、第１部材の平面図である。
【図４Ｂ】実施の形態１の鏡取付構造における、第１部材の側面図である。
【図５Ａ】実施の形態１の鏡取付構造における、第２部材の平面図である。
【図５Ｂ】実施の形態１の鏡取付構造における、第２部材の側面図である。
【図６】図１のＶＩ−ＶＩ線に沿う鏡取付構造の断面図である。
【図７】実施の形態１の鏡取付構造における、側壁の貫通孔の変形例を示す図である。
【図８】実施の形態１の鏡取付構造における、第１部材の変形例を示す図である。
【図９Ａ】実施の形態２の鏡取付構造における、第１部材の平面図である。
【図９Ｂ】実施の形態２の鏡取付構造における、第１部材の側面図である。
【図１０Ａ】実施の形態２の鏡取付構造における、第２部材の平面図である。
【図１０Ｂ】実施の形態２の鏡取付構造における、第２部材の側面図である。
【図１１】実施の形態２の鏡取付構造における、鏡の取付状態を示す断面図である。
【図１２】実施の形態２の鏡取付構造の第１変形例における、鏡の取付状態を示す断面図である。
【図１３】実施の形態２の鏡取付構造の第２変形例における、鏡の取付状態を示す断面図である。
【発明を実施するための形態】
【０００９】
以下、本発明のかご室の鏡取付構造の好適な実施の形態につき、図面を用いて説明する。
【００１０】
実施の形態１．
図１は、エレベータのかご室の内部を示す模式図である。図２は、図１のＡ部における鏡の取付状態を、分解して示した斜視図である。
【００１１】
図１に示すように、かご室１０は、天井１１と、３枚の側壁１２と、床面１３とを有している。かご室１０の天井１１には、照明２０が配置されている。また、かご室１０の奥の側壁１２には、矩形の鏡３０が配置されている。鏡３０の４隅は、実施の形態１の鏡取付構造を用いて、それぞれ側壁１２に固定されている。
【００１２】
図２は、鏡３０の１つの角部における、側壁１２への取付状態を示す斜視図である。鏡３０の他の３つの角部における側壁１２への取付け状態も同様である。実施の形態１のかご室の鏡取付構造は、第１部材５０と、第１部材５０の一部が貫通する貫通孔が形成された側壁１２と、第１部材５０を側壁１２に固定するネジ１００と、第１部材５０と結合される第２部材６０と、によって構成されている。
【００１３】
図２に示すように、かご室１０の側壁１２には、２つの貫通孔１２Ａ，１２Ｂが形成されている。また、鏡３０の角部には、円形の取付穴３０Ａが形成されている。側壁１２の外側には、ネジ１００によって、第１部材５０が固定される。側壁１２の内側には、第２部材６０が、鏡３０の取付穴３０Ａを介して、第１部材５０に取付けられる。第２部材６０が第１部材５０に取付けられることにより、鏡３０は側壁１２に固定される。
【００１４】
図３は、側壁１２に形成された２つの貫通孔１２Ａ，１２Ｂの正面図である。貫通孔１２Ａと貫通孔１２Ｂとは、同心の半円形状に形成されている。貫通孔１２Ａと貫通孔１２Ｂとは、同一の形状に形成されている。そして、貫通孔１２Ａと貫通孔１２Ｂとの間には、ネジ１００が挿入される貫通孔１２Ｃが形成されている。
【００１５】
図４Ａは、第１部材５０の平面図である。また、図４Ｂは、第１部材５０の側面図である。第１部材５０は、円板状の壁突き当て部５０Ｃと、壁突き当て部５０Ｃから突出する２つの壁側固定部５０Ａ，５０Ｂを有している。
【００１６】
壁突き当て部５０Ｃは、２つの壁側固定部５０Ａ，５０Ｂの根元に、かご室１０の側壁１２の外側に突き当てられる壁突き当て面５０Ｅを有している。また、壁突き当て部５０Ｃの中央には、ネジ１００と螺合するネジ穴５０Ｄが形成されている。２つの壁側固定部５０Ａ，５０Ｂは、１つの円筒状の凸部を、軸方向に２つに分割した形状に形成されている。２つの壁側固定部５０Ａ，５０Ｂの外周側には、それぞれ、雄ねじ部５０Ｍが形成されている。
【００１７】
図５Ａは、第２部材６０の平面図である。また、図５Ｂは、第２部材６０の側面図である。第２部材６０は、円板状の鏡突き当て部６０Ｃと、鏡突き当て部６０Ｃから突出する２つの鏡側固定部６０Ａ，６０Ｂを有している。
【００１８】
鏡突き当て部６０Ｃは、２つの鏡側固定部６０Ａ，６０Ｂの根元に、かご室１０の側壁１２の内側に突き当てられる鏡突き当て面６０Ｅを有している。２つの鏡側固定部６０Ａ，６０Ｂは、１つの円筒状の凸部を、軸方向に２つに分割した形状に形成されている。また、２つの鏡側固定部６０Ａ，６０Ｂの内周側には、それぞれ、第１部材５０の雄ねじ部５０Ｍと螺合する雌ねじ部６０Ｆが形成されている。
【００１９】
図６は、図１のＶＩ−ＶＩ線に沿う鏡取付構造の断面図である。図６に示すように、第１部材５０の壁側固定部５０Ａは、側壁１２の外側から、貫通孔１２Ａに挿入されている。また、第１部材５０の壁側固定部５０Ｂは、側壁１２の外側から、貫通孔１２Ｂに挿入されている。さらに、２つの壁側固定部５０Ａ，５０Ｂは、鏡３０の取付穴３０Ａを貫通している。また、第１部材５０の壁突き当て面５０Ｅは、側壁１２の外側に突き当てられている。そして、第１部材５０は、ネジ１００によって、側壁１２に固定されている。
【００２０】
第２部材６０の２つの鏡側固定部６０Ａ，６０Ｂは、鏡３０の取付穴３０Ａに挿入されている。そして、２つの鏡側固定部６０Ａ，６０Ｂの雌ねじ部６０Ｆは、それぞれ、第１部材５０の雄ねじ部５０Ｍに螺合されている。そして、鏡３０は、取付穴３０Ａに挿入された２つの鏡側固定部６０Ａ，６０Ｂの外周によって、上下及び左右方向の移動が規制されている。
【００２１】
また、鏡３０は、第２部材６０の鏡突き当て面６０Ｅと、側壁１２とによって挟持されている。これにより、鏡３０は、側壁１２から離れる方向の移動が規制されている。以上のように、第１部材５０を側壁１２の外側に固定した状態で、かご室１０の内部から第２部材６０を第１部材５０に螺合させることによって、鏡３０を容易に側壁１２に取付けることができる。
【００２２】
なお、図２及び図６では、第２部材６０の鏡側固定部６０Ａが、鏡側固定部６０Ｂよりも上に記載されているが、これは一例である。第２部材６０は、第１部材５０と結合するときに回転される。このため、鏡３０の側壁１２への取付けが完了したときに、鏡側固定部６０Ａと鏡側固定部６０Ｂのどちらが上になるかは一定ではない。
【００２３】
このように、実施の形態１のかご室の鏡取付構造によれば、かご室１０の側壁１２に形成された貫通孔１２Ａ，１２Ｂに、かご室１０の外側から、第１部材５０の壁側固定部５０Ａ，５０Ｂを挿入して、ネジ１００によって固定している。また、鏡３０の取付穴３０Ａに、第２部材６０の鏡側固定部６０Ａ，６０Ｂを挿入して、第２部材６０を、かご室１０の内側から、第１部材５０の壁側固定部５０Ａ，５０Ｂと結合させている。そして、鏡３０を、第２部材６０の鏡突き当て面６０Ｅと、側壁１２とによって挟持し、側壁１２に固定している。これにより、鏡３０を、かご室１０の内部から、側壁１２に取付け、及び取外すことが可能となる。よって、鏡３０の取付け、取外し作業を効率化することができる。
【００２４】
また、実施の形態１のかご室の鏡取付構造によれば、鏡３０を、第２部材６０と側壁１２とによって挟持している。そして、鏡３０と側壁１２との間の隙間をなくし、鏡３０の側壁１２からの突出量を、鏡３０の厚みのみとしている。これにより、鏡３０の縁と側壁１２との間の段差を最小限に抑え、乗客が鏡３０の縁に当たることを抑制することができる。
【００２５】
なお、実施の形態１では、側壁１２に形成する２つの貫通孔１２Ａ，１２Ｂの形状を、それぞれ半円形状としたが、貫通孔１２Ａ，１２Ｂの形状はこれに限るものではない。例えば、図７に示すように、貫通孔１２Ａ，１２Ｂを、それぞれ円弧状の長穴としてもよい。この場合、第１部材５０の壁側固定部５０Ａ，５０Ｂの形状は、図８に示すように、長穴の形状に応じた形状にするとよい。
【００２６】
次に、実施の形態１のかご室の鏡取付構造を用いて鏡３０をかご室１０の側壁１２に取付ける手順を説明する。なお、鏡３０には、あらかじめ、複数の取付穴３０Ａが形成されているものとする。
【００２７】
まず、側壁１２における、鏡３０の取付穴３０Ａが配置される位置に、それぞれ、貫通孔１２Ａ，１２Ｂと、ネジ１００用の貫通孔１２Ｃとを形成する。
次に、側壁１２の各貫通孔１２Ａ，１２Ｂに、第１部材５０の壁側固定部５０Ａ，５０Ｂをそれぞれ挿入する。
次に、側壁１２の各貫通孔１２Ｃにネジ１００を挿入し、各ネジ１００を各第１部材５０のネジ穴５０Ｄに螺合させて、各第１部材５０を側壁１２に固定する。
なお、側壁１２への各貫通孔１２Ａ，１２Ｂ，１２Ｃの加工と、側壁１２への各第１部材５０の固定は、エレベータのかご室１０を組み立てる前に、あらかじめ実施しておく。以下は、かご室１０が組み立てられた後に、かご室１０の内部において実施する作業の手順である。
【００２８】
次に、側壁１２からかご室１０の内部に突出している各第１部材５０の各壁側固定部５０Ａに、鏡３０の各取付穴３０Ａを引っ掛けて、鏡３０を仮設置する。
次に、鏡３０を持ち上げて支持しながら、１つの取付穴３０Ａに、第２部材６０の鏡側固定部６０Ａ，６０Ｂを挿入する。
次に、取付穴３０Ａに挿入した第２部材６０を回転させて、第１部材５０の雄ねじ部５０Ｍと第２部材６０の雌ねじ部６０Ｆとを螺合させ、第１部材５０と第２部材６０とを結合させる。
次に、鏡３０の残りの各取付穴３０Ａについて、それぞれ同様に第２部材６０を挿入して、第１部材５０と第２部材６０とを結合させる。
そして、鏡３０を、各第２部材６０の鏡突き当て面６０Ｅと、側壁１２とにより挟持する。
以上により、鏡３０の側壁１２への取付けが完了する。
【００２９】
実施の形態２．
図９Ａは、実施の形態２のかご室の鏡取付構造における、第１部材５１を示す平面図である。また、図９Ｂは、第１部材５１の側面図である。一方、図１０Ａは、実施の形態２のかご室の鏡取付構造における、第２部材６１を示す平面図である。また、図１０Ｂは、第２部材６１の側面図である。そして、図１１は、実施の形態２のかご室の鏡取付構造を用いて鏡３０を側壁１２に取付けた状態を示す断面図である。
【００３０】
実施の形態２のかご室の鏡取付構造は、第１部材５１と第２部材６１の形状が、実施の形態１のかご室の鏡取付構造とは異なる。他の構成は、実施の形態１と同様である。
【００３１】
図９Ａ及び図９Ｂに示すように、実施の形態２の第１部材５１は、円板状の壁突き当て部５１Ｃと、壁突き当て部５１Ｃから突出する２つの壁側固定部５１Ａ，５１Ｂを有している。
【００３２】
壁突き当て部５１Ｃは、２つの壁側固定部５１Ａ，５１Ｂの根元に、側壁１２の外側に突き当てられる、壁突き当て面５１Ｅを有している。また、壁突き当て部５１Ｃの中央には、ネジ１００と螺合するネジ穴５１Ｄが形成されている。２つの壁側固定部５１Ａ，５１Ｂは、１つの円筒状の凸部を軸方向に２つに分割した形状に形成されている。また、２つの壁側固定部５１Ａ，５１Ｂの内周側には、それぞれ、雌ねじ部５１Ｆが形成されている。さらに、２つの壁側固定部５１Ａ，５１Ｂの先端部の外周側には、それぞれ、鍔部５１Ｈが形成されている。また、２つの壁側固定部５１Ａ，５１Ｂの各鍔部５１Ｈから根元までの間には、それぞれ外周側に平坦な支持部５１Ｇが形成されている。
【００３３】
図１０Ａ及び図１０Ｂに示すように、実施の形態２の第２部材６１は、円板状の鏡突き当て部６１Ｃと、鏡突き当て部６１Ｃから突出する円筒状の鏡側固定部６１Ａを有している。そして、鏡側固定部６１Ａの外周には、第１部材５１の雌ねじ部５１Ｆと螺合する雄ねじ部６１Ｍが形成されている。
【００３４】
また、鏡突き当て部６１Ｃは、鏡側固定部６１Ａの外側に、環状の溝部６１Ｔを有している。さらに、鏡突き当て部６１Ｃは、溝部６１Ｔの外側に、かご室１０の側壁１２に突き当てられる環状の鏡突き当て面６１Ｅを有している。
【００３５】
図１１は、実施の形態２の第１部材５１と第２部材６１とを用いた、鏡３０の、側壁１２への取付状態を示す断面図である。図１１に示すように、第１部材５１の壁側固定部５１Ａは、側壁１２の貫通孔１２Ａに挿入されている。第１部材５１の壁側固定部５１Ｂは、側壁１２の貫通孔１２Ｂに挿入されている。さらに、２つの壁側固定部５１Ａ，５１Ｂは、鏡３０の取付穴３０Ａを貫通している。また、第１部材５１の壁突き当て面５１Ｅは、側壁１２の外側に突き当てられている。そして、第１部材５１は、ネジ１００によって、側壁１２に固定されている。
【００３６】
第２部材６０の鏡側固定部６１Ａは、第１部材５１の２つの壁側固定部５１Ａ，５１Ｂの間に挿入されている。そして、第２部材６１の鏡側固定部６１Ａに形成された雄ねじ部６１Ｍは、第１部材５１の２つの壁側固定部５１Ａ，５１Ｂにそれぞれ形成された雌ねじ部５１Ｆと螺合している。
【００３７】
図１１に示すように、実施の形態２のかご室の鏡取付構造では、鏡３０は、第１部材５１の壁側固定部５１Ａに形成された、支持部５１Ｇによって支持されている。また、壁側固定部５１Ａには、鍔部５１Ｈが形成されているので、第１部材５１のみを側壁１２に固定した状態で、鏡３０の取付穴３０Ａを壁側固定部５１Ａの支持部５１Ｇに引っ掛けて仮設置することができる。
【００３８】
これにより、第２部材６１を、第１部材５１に結合させる際、及び第２部材６１を、第１部材５１から取外す際に、鏡３０を保持する必要がない。よって、鏡３０の側壁１２への取付け、及び取外し作業を効率化することができる。
【００３９】
次に、実施の形態２のかご室の鏡取付構造を用いて鏡３０をかご室１０の側壁１２に取付ける手順を説明する。なお、鏡３０には、あらかじめ、複数の取付穴３０Ａが形成されているものとする。
【００４０】
まず、側壁１２における、鏡３０の取付穴３０Ａが配置される位置に、それぞれ、貫通孔１２Ａ，１２Ｂと、ネジ１００用の貫通孔１２Ｃとを形成する。
次に、側壁１２の各貫通孔１２Ａ，１２Ｂに、第１部材５１の壁側固定部５１Ａ，５１Ｂをそれぞれ挿入する。
次に、側壁１２の各貫通孔１２Ｃにネジ１００を挿入し、各ネジ１００を各第１部材５１のネジ穴５１Ｄに螺合させて、各第１部材５１を側壁１２に固定する。
なお、側壁１２への各貫通孔１２Ａ，１２Ｂ，１２Ｃの加工と、側壁１２への各第１部材５１の固定は、エレベータのかご室１０を組み立てる前に、あらかじめ実施しておく。以下は、かご室１０が組み立てられた後に、かご室１０の内部において実施する作業の手順である。
【００４１】
次に、側壁１２からかご室１０の内部に突出している各第１部材５１の各壁側固定部５１Ａに、鏡３０の各取付穴３０Ａを引っ掛けて、鏡３０を仮設置する。
次に、第２部材６１の鏡側固定部６１Ａを、第１部材５１の壁側固定部５１Ａと壁側固定部５１Ｂとの間に挿入して回転させる。
そして、第１部材５１の雌ねじ部５１Ｆと、第２部材６１の雄ねじ部６１Ｍとを螺合させて、第１部材５１と第２部材６１とを結合する。これを、第１部材５１の数だけ繰り返し、各第２部材６１の鏡突き当て面６１Ｅと、側壁１２とにより鏡３０を挟持する。
以上により、鏡３０の側壁１２への取付けが完了する。
【００４２】
なお、実施の形態２のかご室の鏡取付構造では、第１部材５１の２つの壁側固定部５１Ａ，５１Ｂを同一の形状としていたが、２つの壁側固定部５１Ａ，５１Ｂの形状は、同一でなくてもよい。例えば、鍔部５１Ｈと支持部５１Ｇとは、壁側固定部５１Ａまたは壁側固定部５１Ｂのいずれか一方のみに形成してもよい。鍔部５１Ｈと支持部５１Ｇとを、壁側固定部５１Ａまたは壁側固定部５１Ｂのいずれか一方のみに形成した場合には、鍔部５１Ｈと支持部５１Ｇとが形成された方を、上部の貫通孔１２Ａに挿入して固定すればよい。
【００４３】
また、実施の形態２では、第１部材５１を側壁１２に固定する際に、ネジ１００を、かご室１０の内側から貫通孔１２Ｃに挿入して、ネジ穴５１Ｄに螺合させていたが、ネジ１００による第１部材５１の固定方法は、これに限るものではない。例えば、図１２に示す第１変形例の第１部材５２のように、側壁１２に、ネジ１００と螺合する雌ねじ部１２Ｆを形成し、第１部材５２に貫通孔５２Ｄを形成してもよい。そして、かご室１０の外側から、ネジ１００を貫通孔５２Ｄに挿入し、側壁１２の雌ねじ部１２Ｆと螺合させてもよい。これにより、第１部材５２の２つの壁側固定部５１Ａ，５１Ｂを側壁１２の貫通孔１２Ａ，１２Ｂに挿入する方向と同じ方向から、ネジ１００を貫通孔５２Ｄに挿入して、雌ねじ部１２Ｆと螺合させることができる。よって、第１部材５１の取付け作業を効率化することができる。
【００４４】
さらに、実施の形態２では、第１部材５1に雌ねじ部５１Ｆを形成し、第２部材６１に雄ねじ部６１Ｍを形成して、第１部材５１と第２部材６１とを結合していたが、第１部材５１及び第２部材６１の形状は、これに限るものではない。例えば、図１３に示す第２変形例の第１部材５３のように、２つの壁側固定部５３Ａ，５３Ｂの各鍔部５３Ｈの外周に、雄ねじ部５３Ｍを形成し、第２部材６２の環状の鏡側固定部６２Ａの内周に、雌ねじ部６２Ｆを形成してもよい。そして、雄ねじ部５３Ｍと雌ねじ部６２Ｆとを螺合させて、第１部材５３と第２部材６２とを結合してもよい。
【符号の説明】
【００４５】
１０  かご室、１１  天井、１２  側壁、１２Ａ〜１２Ｃ  貫通孔、１２Ｆ  雌ねじ部、１３  床面、２０  照明、３０  鏡、３０Ａ  取付穴、５０〜５３  第１部材、５０Ａ，５０Ｂ，５１Ａ，５１Ｂ  壁側固定部、５０Ｃ，５１Ｃ  壁突き当て部、５０Ｄ，５１Ｄ  ネジ穴、５０Ｅ，５１Ｅ  壁突き当て面、５０Ｍ，５３Ｍ，６１Ｍ  雄ねじ部、５１Ｆ，６０Ｆ，６２Ｆ  雌ねじ部、５１Ｇ，５３Ｇ  支持部、５１Ｈ，５３Ｈ  鍔部、５２Ｄ  貫通孔、６０〜６２  第２部材、６０Ａ，６０Ｂ，６１Ａ，６２Ａ  鏡側固定部、６０Ｃ，６１Ｃ  鏡突き当て部、６０Ｅ，６１Ｅ  鏡突き当て面、６１Ｔ  溝部、１００  ネジ（固定部材）。
【図１】
0006723467.tif 000002
【図２】
0006723467.tif 000003
【図３】
0006723467.tif 000004
【図４Ａ】
0006723467.tif 000005
【図４Ｂ】
0006723467.tif 000006
【図５Ａ】
0006723467.tif 000007
【図５Ｂ】
0006723467.tif 000008
【図６】
0006723467.tif 000009
【図７】
0006723467.tif 000010
【図８】
0006723467.tif 000011
【図９Ａ】
0006723467.tif 000012
【図９Ｂ】
0006723467.tif 000013
【図１０Ａ】
0006723467.tif 000014
【図１０Ｂ】
0006723467.tif 000015
【図１１】
0006723467.tif 000016
【図１２】
0006723467.tif 000017
【図１３】
0006723467.tif 000018